(57)【要約】      （修正有）【課題】取り付けや交換が容易で、有効な広告宣伝効果を発揮する遊技機用広告板を提供する。【解決手段】遊技機の前面に設けられた受け皿内に載置されるものであって、受け皿に収納可能な大きさの板状基体１６と、板状基体１６の表面上に配置された透明シート１８とを備える。板状基体１６と透明シート１８との間には、広告シート２０を差し込む広告シート収納部を備えた。広告シート２０には広告宣伝用の文字図柄等が表示されている。広告シート２０は透明シート１８の外側から透視される。板状基体１６は、プラスチック、ゴム、金属、木材、ダンボールのような紙等の任意の材料で構成され、防音効果もある。【選択図】図１
0003104237.tif 000002
【実用新案登録請求の範囲】
【請求項１】
遊技機の前面に設けられた受け皿内に載置されるものであって、
前記受け皿に収納可能な大きさの板状基体と、
前記板状基体の表面上に配置された透明シートと、
前記板状基体と前記透明シートとの間に設けられた、広告シート収納部を備えたことを特徴とする遊技機用広告板。
【請求項２】
請求項１記載の遊技機用広告板において、
前記板状基体は、発泡ゴム又は発泡プラスチックを平板状に成型したものであることを特徴とする遊技機用広告板。
【請求項３】
請求項１記載の遊技機用広告板において、
前記板状基体は、弾性体を平板状に成型したものであることを特徴とする遊技機用広告板。
【請求項４】
請求項１又は２に記載の遊技機用広告板において、
前記透明シートの一縁が前記板状基板に固定されていることを特徴とする遊技機用広告板。
【請求項５】
請求項１乃至３のいずれかに記載の遊技機用広告板において、
前記板状基体の底面に、この板状基体を前記受け皿に固定するための固定部材を配設したことを特徴とする遊技機用広告板。
【考案の詳細な説明】
【技術分野】
【０００１】
本考案は、スロットルマシンやパチンコ機等の遊技機における排出メタルや出玉を受ける受け皿内に載置されて使用される遊技機用広告板に関する。
【背景技術】
【０００２】
スロットルマシンやパチンコ機等の遊技機に広告表示を施すことは殆ど行われていない。遊技者のゲーム集中力を阻害するおそれがあるためと考えられる。なお、従来、遊技機の盤前面のガラスの部分に広告を表示するというものが開示されている（特許文献１参照）。
【特許文献１】実開平６−４８２号公報
【考案の開示】
【考案が解決しようとする課題】
【０００３】
ところで、上記した従来の技術には、次のような解決すべき課題があった。
遊技機の盤前面のガラスの部分に広告を表示しても、ゲーム中はその広告表示が目に入らない。また、あまり目立つ広告を表示すると、ゲーム集中力を阻害することもある。広告表示が目に入らないと広告効果を希薄にする。また、ゲーム集中力を阻害するような広告表示は顧客にいやがられる。さらに、ガラスの部分に広告を貼り付けると、貼り付け作業や交換作業が容易でない。
本考案は以上の課題を解決するためになされたもので、取り付けや交換が容易で、有効な広告宣伝効果を発揮する遊技機用広告板を提供することを目的とする。
【課題を解決するための手段】
【０００４】
本考案の各実施例においては、それぞれ次のような構成により上記の課題を解決する。
〈構成１〉
遊技機の前面に設けられた受け皿内に載置されるものであって、上記受け皿に収納可能な大きさの板状基体と、上記板状基体の表面上に配置された透明シートと、上記板状基体と上記透明シートとの間に設けられた、広告シート収納部を備えたことを特徴とする遊技機用広告板。
【０００５】
広告シートには広告宣伝用の文字図柄等の表示が施されている。広告シート収納部は、透明シートの外側から透視される。遊技者が受け皿からメタルや出玉を取り出すときに広告シートの表示に目が行くから、有効な広告宣伝効果が期待できる。この広告シートにより、例えば、店の各種サービスの案内ができる。
また、近隣商店の広告を挟み込んで、広告料収入を得ることができる。板状基体と透明シートとで挟むように広告シート収納部を設けたので，広告シートは、いつでも自由に交換できる。本考案の遊技機用広告板は構造が簡単であるから安く量産することができ、交換も簡単である。
さらに、板状基体を適度の厚さとすることにより、底上げ効果が期待できる。底上げ効果とは、受け皿の容量が縮減することから、例えば早く受け皿が一杯になったという満足感を味わわせることである。
【０００６】
〈構成２〉
構成１記載の遊技機用広告板において、上記板状基体は、発泡ゴム又は発泡プラスチックを平板状に成型したものであることを特徴とする遊技機用広告板。
【０００７】
板状基体が発泡材料からなることにより、軽量で取扱い易い。また柔軟で弾性を有することから底に残ったメタル等をつまみ上げる作業が容易である。さらに、メタルと受け皿との衝突音を緩和して防音効果も奏する。
【０００８】
〈構成３〉
構成１記載の遊技機用広告板において、上記板状基体は、弾性体を平板状に成型したものであることを特徴とする遊技機用広告板。
【０００９】
上記の効果を奏するために、板状基体は、弾性体であればなんでもよい。
【００１０】
〈構成４〉
構成１又は２に記載の遊技機用広告板において、上記透明シートの一縁が上記板状基板に固定されていることを特徴とする遊技機用広告板。
【００１１】
例えば、両面粘着テープを使って透明シートの一縁を板状基板の一縁に接着して固定する。透明シートの解放縁をめくって広告シートを素早く挿入し、その差替え等ができる。
【００１２】
〈構成５〉
構成１乃至３のいずれかに記載の遊技機用広告板において、上記板状基体の底面に、この板状基体を上記受け皿に固定するための固定部材を配設したことを特徴とする遊技機用広告板。
【００１３】
例えば、粘着シート等の固定部材で、板状基体を遊技機の受け皿に固定すれば、板状基体の取付け状態を安定させると共に、板状基体の紛失を防止することができる。
【考案を実施するための最良の形態】
【００１４】
以下、本考案の実施の形態を実施例ごとに詳細に説明する。
【実施例１】
【００１５】
図１は、実施例１の遊技機用広告板の構成を示す斜視図である。
図１において、広告板１０は、直方体をなす板状基体１６と、この板状基体１６の表面上に配置された透明シート１８とを備えたものである。板状基体１６と透明シート１８との間には、広告シート２０が差し込まれている。
【００１６】
板状基体１６は、プラスチック、ゴム、金属、木材、ダンボールのような紙等の任意の材料で成型され、適当な厚さの板状に構成される。板状基体１６は、軽量で取扱い易いことから、発泡ゴム又は発泡プラスチック等の発泡材料で構成した方が好ましい。また、防音効果上、弾性体板で構成することが好ましい。板状基体１６の底面には、両面粘着シート２６が配設されている。使用時には両面粘着シート２６のセパレータが剥がされて、粘着層が露出される。この粘着層は、遊技機の受け皿への固定手段に利用される。
【００１７】
透明シート１８は、一縁が板状基板１６に両面粘着テープ２８により接着されている。透明シート１８は、このほか、熱プレスとかパンチ等によって、その一縁を板状基板１６に固定するとよい。このように構成することにより、図２に示すように、透明シート１８の解放縁を自由にめくって、広告シート２０を挿入したり差替えすることができる。即ち、板状基体と透明シートとの間には、広告シート収納部が設けられている。広告シート２０には広告宣伝用の文字図柄や店の各種サービスの案内等を印刷した表示部２４が設けられる。
【００１８】
この表示部２４は透明シート１８の外側から透視される。この例では、広告シート収納部は板状基体１６の上面にあるが、板状基体１６に凹陥部を設けて、ここに広告シートを収納してもよい。広告シートに若干厚みがあるときは、そのほうが、透明シート１８全体を平坦に保つことができる。従って透明シート１８を柔軟な透明シートにより構成することができる。
【００１９】
図３は、遊技機用広告板１０の使用状況の説明図である。
遊技機用広告板１０は、遊技機１２の前面に設けられた受け皿１４内に載置された状態で使用される。遊技機用広告板１０は、遊技機１２を使用する前に、空の受け皿１４内の底面に載置される。ゲーム中は遊技機用広告板１０の上に排出メタルや出玉が落下する。遊技機用広告板１０に適当な弾力があると、騒音がかなり緩和される。ゲーム中、広告表示部２４は排出メタルや出玉により遮蔽されている。このため、遊技者のゲーム集中力を阻害することはない。
【００２０】
遊技機用広告板１０は受け皿１４の底を若干引き上げる。遊技者は、早く受け皿１４がいっぱいになったように感じるから、遊技者を楽しませる効果がある。また、排出メタルや出玉を取り出すときには広告表示部２４が目に触れるから、宣伝効果が期待できる。図３にはスロットルマシンのメタル受け皿に本考案の遊技機用広告板１０を使用する例を示したが、形状を変更すれば、本考案はパチンコ台の出玉受け皿にも適用できる。
【００２１】
以上のように本考案の遊技機用広告板によれば、以下の効果が得られる。
１．広告シートを挟み込むことで、例えば、店の各種サービスの案内ができる。また、近隣商店の広告を挟み込んで、広告料収入を得ることができる。広告シートは、いつでも自由に交換できる。
２．遊技機の受け皿の底を平坦にして、排出メタルや出玉を取り出し易くすることができる。
３．受け皿の容量を調整するような底上げが可能になる。
４．板状基体を発泡材料等の弾性体で成型すると、受け皿の底に残ったメタル等をつまみ上げるときも容易であり、またメタル、出玉等の排出時にメタル等が受け皿の底に衝突して発する騒音を緩和する。
５．コストが安く量産ができ、簡単に交換でき、形状も任意に設計できるから、各種の遊技機に広く利用できる。
【図面の簡単な説明】
【００２２】
【図１】実施例１の遊技機用広告板の構成を示す斜視図である。
【図２】同広告板の組立説明図である。
【図３】同広告板の使用説明図である。
【符号の説明】
【００２３】
１０  遊技機用広告板
１２  遊技機
１４  受け皿
１６  板状基体
１８  透明シート
２０  広告シート
２４  表示部
２６  両面粘着シート
【図１】
0003104237.tif 000003
【図２】
0003104237.tif 000004
【図３】
0003104237.tif 000005